(57)【要約】【課題】着用感が快適で、吸収性本体の前後端部の捲れ上がりや外れるおそれが無く、吸収性本体の前後端部からの尿等の腹漏れや背漏れを確実に防止できるようにする。【解決手段】伸縮性を有する胴回り開口用の帯部材２Ａ，２Ｂと、おむつ前後方向Ｘに延在する吸収性本体３とでなり、上記帯部材２Ａ，２Ｂの外方に外側シート４が前部と後部の吸収性本体３の前後端部３ａ，３ｂの差し込み部１ｂを除いて接合されて、この差し込み部１ｂに差し込まれた吸収性本体３の前後端部３ａ，３ｂの裏面は、外側シート４の内面に第１止着手段２６で着脱可能に係止されている。【選択図】  図１
2004329386.tif 000002
【特許請求の範囲】
【請求項１】
伸縮性を有する胴回り開口用の帯部材と、おむつ前後方向に延在する吸収性本体とでなり、上記帯部材の外面に外側シートが前部と後部の吸収性本体の前後端部の差し込み部を除いて接合されて、この差し込み部に差し込まれた吸収性本体の前後端部の裏面は、外側シートの内面に第１止着手段で着脱可能に係止されていることを特徴とするパンツ型おむつ。
【請求項２】
上記吸収性本体は、トップシートとバックシートとの間に吸収性コアを挟み込んで形成されて、両側部に立ち上がりフラップが設けられていて、この立ち上がりフラップの外面は、上記帯部材の内面に第２止着手段で着脱可能に係止されて、立ち上がりフラップの立ち上がりによって、吸収性本体と立ち上がりフラップと帯部材との間にポケット部が形成されている請求項１に記載のパンツ型おむつ。
【請求項３】
上記第１止着手段と第２止着手段とは、面ファスナーのフック部とループ部とである請求項１または２に記載のパンツ型おむつ。
【請求項４】
上記面ファスナーのループ部は、不織布製シートを利用している請求項１〜３のいずれか１項に記載にパンツ型おむつ。
【請求項５】
上記外側シートは、少なくとも内面が撥水性である請求項１〜４のいずれか１項に記載のパンツ型おむつ。
【請求項６】
上記吸収性本体のバックシートの外面に不織布シートが接合されている請求項２〜５のいずれか１項に記載のパンツ型おむつ。
【請求項７】
上記吸収性本体の両側部には、脚回り用弾性部材が添設されている請求項１〜６のいずれか１項に記載のパンツ型おむつ。
【請求項８】
上記吸収性本体の吸収性コアの下方位置に、前後方向に伸張状態で幅方向に複数本の股間用弾性部材が添設されている請求項２〜７のいずれか１項に記載のパンツ型おむつ。
【請求項９】
上記帯部材は、内方の内装シートと外方の外装シートの間にウエスト用弾性部材とボディフィット用弾性部材とが添設された複合シート部材であり、内装シートの少なくとも内面は親水性で、外装シートの少なくとも外面は撥水性である請求項１〜８のいずれか１項に記載のパンツ型おむつ。
【請求項１０】
上記帯部材のウエスト用弾性部材は、吸収性本体の吸収性コアの前後端部に掛からないように設定されている請求項９に記載のパンツ型おむつ。
【請求項１１】
上記帯部材のボディフィット用弾性部材は、ウエスト用弾性部材よりも伸縮力が小さく設定されている請求項９または１０に記載のパンツ型おむつ。
【請求項１２】
上記帯部材のボディフィット用弾性部材は、上記ポケット部に掛かる部分が他の部分よりも伸縮力が小さく設定されている請求項９〜１１のいずれか１項に記載のパンツ型おむつ。
【請求項１３】
前側の外側シートと後側の外側シートとを長さ方向に連続搬送するとともに、おむつ前後方向に延在する吸収性本体の前後端部を前側の外側シートと後側の外側シートの上面にそれぞれ第１止着手段で着脱可能に係止した後に、吸収性本体の前後端部の差し込み部を除いた外側シートに上面に、おむつ幅方向に伸縮性を有する前側の帯部材と後側の帯部材とをそれぞれ接合して、この前側の帯部材と後側の帯部材とを重ね合わさせながら吸収性本体を二つ折りし、この吸収性本体の両側に位置する前側の帯部材と後側の帯部材とを接合してサイド部を形成し、このサイド部の中間部を切断して、単体のパンツ型おむつを製造することを特徴とするパンツ型おむつの製造方法。
【発明の詳細な説明】
【０００１】
【発明の属する技術分野】
本発明は、パンツ型おむつおよびその製造方法に関する。
【０００２】
【従来の技術】
従来、伸縮性を有する胴回り開口用の帯部材の前部と後部とに跨って、吸収性本体の前後端部を着脱可能な止着手段で係止した使い捨ておむつがある（例えば、特許文献１参照）。
【０００３】
【特許文献１】
特開２０００−５１２７３号公報号公報
【０００４】
【発明が解決しようとする課題】
しかしながら、特許文献１では、帯部材の内面に吸収性本体の前後端部を止着手段で係止しているから、着用者の腹背回りのごわごわ感が多くなって着用感が悪いとともに、吸収性本体の前後端部が捲れ上がって見映えが悪く、手触り感も悪い。さらに、着用者の衣服に吸収性本体の前後端部が引っ掛かって吸収性本体が外れるおそれがある。
【０００５】
さらにまた、吸収性本体の前後端部からの尿等の腹漏れや背漏れを防止できない。
【０００６】
本発明は、上記諸問題を解消するためになされたもので、着用感が快適で、吸収性本体の前後端部の捲れ上がりや外れるおそれが無く、吸収性本体の前後端部からの尿等の腹漏れや背漏れを確実に防止できるパンツ型おむつおよびその製造方法を提供することを課題とするものである。
【０００７】
【課題を解決するための手段】
上記課題を解決するために、本発明のパンツ型おむつは、請求項１のように、おむつ幅方向に伸縮性を有する胴回り開口用の帯部材と、おむつ前後方向に延在する吸収性本体とでなり、上記帯部材の外面に外側シートが前部と後部の吸収性本体の前後端部の差し込み部を除いて接合されて、この差し込み部に差し込まれた吸収性本体の前後端部の裏面は、外側シートの内面に第１止着手段で着脱可能に係止されていることを特徴とするものである。
【０００８】
請求項２のように、上記吸収性本体は、トップシートとバックシートとの間に吸収性コアを挟み込んで形成されて、両側部に立ち上がりフラップが設けられていて、この立ち上がりフラップの外面は、上記帯部材の内面に第２止着手段で着脱可能に係止されて、立ち上がりフラップの立ち上がりによって、吸収性本体と立ち上がりフラップと帯部材との間にポケット部が形成されている構成とすることが好ましい。
【０００９】
請求項３のように、上記第１止着手段と第２止着手段とは、面ファスナーのフック部とループ部とである構成とすることが好ましい。
【００１０】
請求項４のように、上記面ファスナーのループ部は、不織布製シートを利用している構成とすることが好ましい。
【００１１】
請求項５のように、上記外側シートは、少なくとも内面が撥水性である構成とすることが好ましい。
【００１２】
請求項６のように、上記吸収性本体のバックシートの外面に不織布シートが接合されている構成とすることが好ましい。
【００１３】
請求項７のように、上記吸収性本体の両側部には、脚回り用弾性部材が添設されている構成とすることが好ましい。
【００１４】
請求項８のように、上記吸収性本体の吸収性コアの下方位置に、前後方向に伸張状態で幅方向に複数本の股間用弾性部材が添設されている構成とすることが好ましい。
【００１５】
請求項９のように、上記帯部材は、内方の内装シートと外方の外装シートの間にウエスト用弾性部材とボディフィット用弾性部材とが添設された複合シート部材であり、内装シートの少なくとも内面は親水性で、外装シートの少なくとも外面は撥水性である構成とすることが好ましい。
【００１６】
請求項１０のように、上記帯部材のウエスト用弾性部材は、吸収性本体の吸収性コアの前後端部に掛からないように設定されている構成とすることが好ましい。
【００１７】
請求項１１のように、上記帯部材のボディフィット用弾性部材は、ウエスト用弾性部材よりも伸縮力が小さく設定されている構成とすることが好ましい。
【００１８】
請求項１２のように、上記帯部材のボディフィット用弾性部材は、上記ポケット部に掛かる部分が他の部分よりも伸縮力が小さく設定されている構成とすることが好ましい。
【００１９】
本発明のパンツ型おむつの製造方法は、請求項１３のように、前側の外側シートと後側の外側シートとを長さ方向に連続搬送するとともに、おむつ前後方向に延在する吸収性本体の前後端部を前側の外側シートと後側の外側シートの上面にそれぞれ第１止着手段で着脱可能に係止した後に、吸収性本体の前後端部の差し込み部を除いた外側シートに上面に、おむつ幅方向に伸縮性を有する前側の帯部材と後側の帯部材とをそれぞれ接合して、この前側の帯部材と後側の帯部材とを重ね合わさせながら吸収性本体を二つ折りし、この吸収性本体の両側に位置する前側の帯部材と後側の帯部材とを接合してサイド部を形成し、このサイド部の中間部を切断して、単体のパンツ型おむつを製造することを特徴とするものである。
【００２０】
【発明の作用および効果】
請求項１の発明によれば、パンツ型おむつは、帯部材と吸収性本体との組み合わせであるから、構造が簡単で製造も容易であるので、安価になる。
【００２１】
また、帯部材の外方に位置する外側シートの内面に吸収性本体の前後端部を第１止着手段により着脱可能に係止しているから、着用者の腹背回りのごわごわ感が少なくなって着用感が快適になる。さらに、帯部材と外側シートとの間の差し込み部に吸収性本体の前後端部が差し込まれるから、吸収性本体の前後端部が捲れ上がらなくなって見映えが向上するとともに手触り感も良好になる。さらにまた、着用者の衣服に吸収性本体の前後端部が引っ掛かって吸収性本体が外れるおそれもなくなる。また、吸収性本体は着脱可能であるから、汚れた場合に交換が簡単に行える。ここで、着脱可能な止着手段としては、剥離可能な接着剤の他、請求項３のような面ファスナーも含まれる。
【００２２】
請求項２の発明によれば、立ち上がりフラップにより、尿等の横漏れを確実に防止できるとともに、ポケット部によって尿等の腹漏れや背漏れを確実に防止できる。また、第１止着手段と第２止着手段との２重の係止によって吸収性本体が外れにくくなる。
【００２３】
請求項３の発明によれば、面ファスナーによって、着脱が簡単かつ迅速に行えるようになる。ここで、面ファスナーとは、フック部とループ部とが対をなして、両者を強く圧迫するとフック部とループ部とが相互に外れにくいように係止されるとともに、フック部とループ部を手で強く引き剥がすとフック部とループ部との係止が外れるものをいい、メカニカルファスナーとも呼ばれている。
【００２４】
請求項４の発明によれば、不織布製シート自体は、面ファスナーのループ部としての機能も有するので、面ファスナーのループ部を設ける代わりに、不織布シートを利用すれば、面ファスナーのループ部を省略できて、製造工程を簡略化できるとともに、使い捨ておむつがコスト安になる。
【００２５】
請求項５の発明によれば、吸収性本体の前後端部まで浸透した尿等が外部にしみ出るのを防止することができる。
【００２６】
請求項６の発明によれば、不織布シートによって手触り感が良好になる。
【００２７】
請求項７の発明によれば、吸収性本体の両側部が脚回りにフィットするようになる。
【００２８】
請求項８の発明によれば、吸収性コアが着用者の股間により密着するようになる。
【００２９】
請求項９の発明によれば、帯部材が着用者の腰回り、腹背回りにフィットするようになるとともに、内装シートの少なくとも内面が親水性であれば、腹回りや背回りの接触する部分が快適になる。また、外装シートの少なくとも外面が撥水性であれば、帯部材の外面やポケット部の内面が撥水性となって、尿等の漏れを確実に防止できる。
【００３０】
請求項１０の発明によれば、吸収性コアの剛性がウエスト用弾性部材の収縮力に影響しないから、パンツ型おむつのずり落ちを防止できる。
【００３１】
請求項１１の発明によれば、ボディフィット用弾性部材による着用者の腹部の締め付けが緩くなるので、着用感が快適になる。
【００３２】
請求項１２の発明によれば、ボディフィット用弾性部材の収縮力がポケット部に影響しにくくなるから、ポケット部が収縮するのを防止できる。
【００３３】
請求項１３の発明によれば、外側シートと帯部材との間の差し込み部に吸収性本体の前後端部を差し込んだ状態で第１止着手段により係止するから、製造途中において、吸収性本体の前後端部がコンベア等に引っ掛かかって捲れ上がったり、外れるおそれがなくなる。
【００３４】
【発明の実施の形態】
以下、本発明の実施の形態を図面を参照して詳細に説明する。
【００３５】
図１〜図４に示すように、パンツ型おむつ１は、前側と後側の帯部材２Ａ，２Ｂと、吸収性本体３と、外側シート４とで基本構成されている。
【００３６】
上記帯部材２Ａ，２Ｂは、一定の横幅Ｗ１でおむつ幅方向Ｗに延在する内方（肌面側）の内装シート５と、外方（外面側）の外装シート６とを有して、内装シート５と外装シート６との間に、ウエスト用弾性部材７とボディフィット用弾性部材８とが幅方向Ｗに伸張状態で添設されてなる複合シート部材で構成されている。上記内装シート５の少なくとも内面は親水性で、外装シート６の少なくとも外面は撥水性としている。
【００３７】
このように、帯部材２Ａ，２Ｂにウエスト用弾性部材７とボディフィット用弾性部材８とを添設すると、帯部材２Ａ，２Ｂが着用者の腰回り、腹背回りにフィットするようになる。
【００３８】
また、内装シート５の少なくとも内面が親水性であれば、腹回りや背回りの接触する部分が快適になる。好ましくは、親水性のレーヨンやコットン等の繊維を配合して吸汗できるようにする。なお、内装シート５を撥水性部材にして、内面に親水性を付与した部材を貼り付けても良い。
【００３９】
さらに、外装シート６の少なくとも外面が撥水性であれば、帯部材２Ａ，２Ｂの外面や後述するポケット部１９の内面が撥水性となって、尿等の漏れを確実に防止できる。
【００４０】
上記帯部材２Ａ，２Ｂの横幅Ｗ１は、１００〜３００ｍｍの範囲であるのが好ましく、この範囲では、着用者の胴回りに充分な収縮力でフィットするとともに、係止部位も広くとれるので、吸収性本体３を帯部材２Ａ，２Ｂに着脱し易くなる。横幅Ｗ１が１００ｍｍ未満であると、帯部材２Ａ，２Ｂが細すぎて充分な収縮力が得られず、吸収性本体３が吸水して重くなったときにずり落ち易くなる。また、横幅Ｗ１が３００ｍｍを超えると、着用者の脚を通すところが相対的に小さくなって着用しづらくなる。
【００４１】
上記前側の帯部材２Ａはおむつ前後方向Ｘの前位置に配置され、後側の帯部材２Ｂはおむつ前後方向Ｘの後位置に配置されるようになる。
【００４２】
そして、後述する製造工程で（図６参照）、係止した吸収性本体３の両側に位置する前側の帯部材２Ａと後側の帯部材２Ｂとを接着してサイド部１ａを形成することにより、伸縮性を有する胴回り開口用の帯部材２Ａ，２Ｂを有するパンツ型おむつ１として組み立てられるようになる。
【００４３】
上記外側シート４は、上記帯部材２Ａ，２Ｂとほぼ同じ横幅Ｗ１でおむつ幅方向Ｗに延在して、前側の帯部材２Ａの外方と後側の帯部材２Ｂの外方とにそれぞれ配置されて、帯部材２Ａ，２Ｂの外面に、吸収性本体３の前後端部３ａ，３ｂの差し込み部１ｂを除いてホットメルト接着剤等で接着されて、この差し込み部１ｂ内の外側シート４の内面には、第１面ファスナー２６のフック部２６ａが取付けられている。なお、外側シート４は、上記帯部材２Ａ，２Ｂとほぼ同じ横幅Ｗ１である必要は必ずしも無くて、適宜に変更することができる。
【００４４】
この外側シート４は、少なくとも内面が撥水性であると、吸収性本体３の前後端部３ａ，３ｂまで浸透した尿等が外部にしみ出るのを防止できる。
【００４５】
上記吸収性本体３は、トップシート９とバックシート１０との間に砂時計型の吸収性コア１１を挟み込んで形成され、おむつ前後方向Ｘに延在されて、前後端部３ａ，３ｂの裏面（後述する不織布シート１３の裏面）には、第１面ファスナー２６のループ部２６ｂが取付けられている。なお、不織布シート１３の裏面であれば、面ファスナーのループ部としての機能を持たせることができるので、ループ部２６ｂを省略することができる。
【００４６】
また、上記吸収性本体３の前後端部３ａ，３ｂの裏面（後述する不織布シート１３の裏面）に第１面ファスナー２６のフック部２６ａを取付け、外側シート４の内面に、第１面ファスナー２６のループ部２６ｂを取付けることも可能である。この場合には、外側シート４が不織布シートであれば、面ファスナーのループ部としての機能を持たせることができるので、ループ部２６ｂを省略することができる。
【００４７】
上記差し込み部１ｂは、パンツ型おむつ１の幅方向Ｗの中央位置に形成されていて、この差し込み部１ｂに差し込まれた吸収性本体３の前後端部３ａ，３ｂの第１面ファスナー２６のループ部２６ｂが前側と後側の外側シート４の第１面ファスナー２６のフック部２６ａにそれぞれ着脱可能に係止されるようになる。
【００４８】
この吸収性本体３の前端部３ａと後端部３ｂは、帯部材２Ａ，２Ｂの横幅Ｗ１のほぼ１／２程度の位置まで深く差し込まれている。
【００４９】
上記吸収性本体３のバックシート１０の外面（下面）には、トップシート９とバックシート１０に対して、前後方向Ｘの寸法はほぼ同じであるが、幅方向Ｗの寸法が広い不織布シート１３がホットメルト接着剤等で接着されている。
【００５０】
この不織布シート１３によって手触り感が良好になる。なお、バックシート１０として、不織布シートと通気性フィルムを接合一体化したクロスライクフィルムを用いれば製造工程も簡略化できるので好ましい。
【００５１】
そして、この不織布シート１３の両側が上方に立ち上げられ、その上端が内向きに折り返され、この折り返し内にフラップ用弾性部材１４が前後方向Ｘに伸張状態で添設されることにより、立ち上がりフラップ１５が形成されるようになる。
【００５２】
この立ち上がりフラップ１５により、尿等の横漏れを確実に防止でき、立ち上がりフラップ１５の部分は、尿等のしみ出しを防止するために撥水性であるのが好ましい。
【００５３】
上記吸収性本体３の両側部には、脚回り用弾性部材１６が前後方向Ｘに伸張状態で添設されている。
【００５４】
この脚回り用弾性部材１６の収縮力により、吸収性本体３の両側部が脚回りにフィットするようになる。
【００５５】
また、上記吸収性本体３の吸収性コア１１の下方位置に、前後方向Ｘに伸張状態で幅方向に複数本の股間用弾性部材２３が添設されている。
【００５６】
この股間用弾性部材２３の収縮力により、吸収性コア１１が着用者の股間により密着するようになる。
【００５７】
上記股間用弾性部材２３は、図５（ａ）のように、吸収性コア１１とバックシート１０との間に添設することができる他、図５（ｂ）のように、バックシート１０と不織布シート１３との間に添設しても良く、あるいは、図５（ｃ）のように、被覆シート２４と吸収性コア１１との間に添設しても良い。
【００５８】
さらに、図５に示すように、吸収性本体３の前端部３ａと後端部３ｂに位置する立ち上がりフラップ１５の外面に第２面ファスナー２７のフック部２７ａを取付けるとともに、帯部材２Ａ，２Ｂの外装シート６の内面は、外装シート６を不織布製として、面ファスナーのループ部２７ｂとしての機能を持たせている。そして、立ち上がりフラップ１５の第２面ファスナー２７のフック部２７ａを外装シート６の面ファスナー２７のループ部２７ｂに着脱可能に係止する。なお、立ち上がりフラップ１５の内面と吸収性本体３のトップシート９とは、前後端のみ接着して倒伏状態とし、股部とポケット部１９とでは起立できるようにする。
【００５９】
これにより、立ち上がりフラップ１５が立ち上がると、吸収性本体３のトップシート９の表面と、立ち上がりフラップ１５の内面と、帯部材２Ａ，２Ｂの外装シート６の内面とによって、ポケット部１９が形成されるようになる。
【００６０】
上記帯部材２Ａ，２Ｂのボディフィット用弾性部材８は、上記ポケット部１９に掛かる部分が他の部分よりも伸縮力が小さく設定されている。
【００６１】
これにより、ボディフィット用弾性部材８の収縮力がポケット部１９に影響しにくくなるから、ポケット部１９が収縮するのを防止できる。
【００６２】
この伸縮力を小さく設定する方法としては、内装シート５と外装シート６との間にボディフィット用弾性部材８を挟んだ状態で、ポケット部１９に相当する部分において内装シート５と外装シート６とを接着しないようにして、内装シート５と外装シート６の外からボディフィット用弾性部材８をカットすることによって、図２（ｃ）に示すように、ポケット部１９にボディフィット用弾性部材８が掛からないようになるので、伸縮力が小さくなる。また、内装シート５と外装シート６との間にウエスト用弾性部材７とボディフィット用弾性部材８とを挟んだ状態で接着しておいて、複数の細かい切断線によって、収縮力を小さくしたい範囲のボディフィット用弾性部材８を細かい片に切断するようにしても良い。その他、ポケット部１９に掛かる部分だけボディフィット用弾性部材８の伸張倍率を小さくする方法も採用可能である。
【００６３】
また、上記帯部材２Ａ，２Ｂのボディフィット用弾性部材８は、ウエスト用弾性部材７よりも伸縮力が小さく設定されている。
【００６４】
これにより、ボディフィット用弾性部材８による着用者の腹部の締め付けが緩くなるので、着用感が快適になる。
【００６５】
この伸縮力を小さく設定する方法としては、ボディフィット用弾性部材８とウエスト用弾性部材７の本数が同じである場合には、▲１▼ボディフィット用弾性部材８の繊度（デシテックス）をウエスト用弾性部材７よりも小さくする（好適には、ボディフィット用弾性部材８は３００〜７００デシテックス、ウエスト用弾性部材７は７００〜２０００デシテックス）。▲２▼ボディフィット用弾性部材８の伸張倍率をウエスト用弾性部材７よりも小さくする（好適には、ボディフィット用弾性部材８は１．１〜２．０倍、ウエスト用弾性部材７は２．０〜４．０倍）。▲３▼ボディフィット用弾性部材８の間隔をウエスト用弾性部材７よりも大きくする（好適には、ボディフィット用弾性部材８は４．０〜１０．０ｍｍ、ウエスト用弾性部材７は１．５〜４．０ｍｍ）。
【００６６】
また、ボディフィット用弾性部材８とウエスト用弾性部材７の本数については、単位横幅当たりの本数をボディフィット用弾性部材８＜ウエスト用弾性部材７という関係にしても良い。なお、本数にこだわり無く、上記条件を適宜に組み合わせても良い。
【００６７】
さらに、上記帯部材２Ａ，２Ｂのウエスト用弾性部材７は、吸収性本体３の吸収性コア１１の前後端部に掛からないように設定されている。
【００６８】
これにより、吸収性コア１１の剛性がウエスト用弾性部材７の収縮力に影響しないから、パンツ型おむつ１のずり落ちを防止できる。
【００６９】
上記外側シート４は、撥水性不織布材料（スパンボンド不織布、メルトブロー不織布、ＳＭＳ不織布等）やプラスチックフィルム（通気性であっても非通気性であっても良いが、より快適な態様としては通気性プラスチックフィルムが好ましい。）やその複合材料が用いられる。最も好ましくは、目付１０〜２５ｇ／ｍ２の撥水性の不織布材料が用いられる。
【００７０】
上記内装シート５は、少なくとも内面が親水性の不織布材料が好適に使用できる。例えば、透液性の不織布材料が好ましい。より好ましくは、親水性繊維（セルロース、レーヨン、コットン等）を用いた不織布材料、あるいは、疎水性繊維（ポリプロピレン、ポリエチレン、ポルエステル、ポリアミド、ナイロン等）の表面を界面活性剤により処理し透液性とした不織布材料が用いられる。また、上記に撥水性不織布材料と透液性の不織布材料とを組み合わせても良いし、透液性の不織布材料の外面を撥水処理しても良いし、その逆で撥水性不織布材料の内面を親水化処理しても良い。好ましくは、目付１０〜２５ｇ／ｍ２の透液性の不織布材料が用いられる。
【００７１】
上記外装シート６は、好ましくは、撥水性不織布材料（スパンボンド不織布、メルトブロー不織布、ＳＭＳ不織布等）が用いられる。最も好ましくは、目付１０〜２５ｇ／ｍ２の撥水性の不織布材料が用いられる。
【００７２】
上記トップシート９は、透液性の不織布材料が好ましい。例えば、親水性繊維（セルロース、レーヨン、コットン等）を用いた不織布材料、あるいは、疎水性繊維（ポリプロピレン、ポリエチレン、ポルエステル、ポリアミド、ナイロン等）の表面を界面活性剤により処理し透液性とした不織布材料が用いられる。好ましくは、目付１０〜２５ｇ／ｍ２の疎水性繊維の表面を界面活性剤により処理し透液性として透液性の不織布材料（ポイントボンド不織布、エアースルー不織布等）が用いられる。
【００７３】
上記バックシート１０は、撥水性不織布材料（スパンボンド不織布、メルトブロー不織布、ＳＭＳ不織布等）やプラスチックフィルム（通気性であっても非通気性であっても良いが、より快適な態様としては通気性プラスチックフィルムが好ましい。）やその複合材料が用いられる。より好ましくは、目付１５〜４０ｇ／ｍ２の通気性のポリエチレンフィルムが用いられ、さらに別の態様として、目付１５〜２５ｇ／ｍ２の通気性のポリエチレンフィルムに目付１０〜２０ｇ／ｍ２の撥水性材料をホットメルト接着剤等で貼り合わせた、いわゆるクロスライクフィルムがその不織布材料側を裏面にして用いられる。
【００７４】
上記吸収性コア１１は、粉砕したパルプ繊維やセルロース繊維等の親水性繊維集合層に粒状の高分子吸水体を混合した吸収コアをティッシュペーパー等の紙シートあるいは透液性不織布シート等の被覆シート２４で包んで、所定の形状に成形した吸収体である。着用者が歩いたり、寝返りを打ったりしても形状を保持できるように、親水性繊維集合層中やシートに所定の形状保持手段（ホットメルト接着剤を塗布したり、合成繊維を混合したり）を施しても構わない。また、上記繊維や高分子吸収体をシート状に成型したシート状吸収体（例えばエアレイド吸収体）等を所定の形状（長方形、砂時計型等）に成形して用いても構わない。なお、被覆シート２４を図示しないものも被覆シート２４が存在するものと理解されたい。
【００７５】
上記不織布シート１３は、好ましくは撥水性不織布材料が用いられる。最も好ましくは、目付１０〜２０ｇ／ｍ２の撥水性不織布材料である。
【００７６】
上記各弾性部材７等は、ポリウレタン糸やポリウレタンフィルム、ＳＥＢＳ系フィルム、天然ゴム等を適宜に用いることができる。
【００７７】
上記各材料の接合としては、ホットメルト接着剤による接着に限られずに、超音波接着や熱接着等を適宜に用いることができる。ホットメルト接着剤については、ゴム系、ポリオレフィン系、酢酸ビニール系等のホットメルト接着剤から適切に選定され、直接的なコーター塗布、間接的なスパイラル塗布、メルトブロー（カーテンスプレー）塗布、ビード塗布等の塗布方法がある。なお、上記サイド部１ａについては、熱接着が好ましい。
【００７８】
上記のようにパンツ型おむつ１を構成すれば、パンツ型おむつ１は、基本的には帯部材２Ａ，２Ｂと吸収性本体３との組み合わせであるから、構造が簡単で製造も容易であるので、安価になる。
【００７９】
また、帯部材２Ａ，２Ｂの外方に位置する外側シート４側の内面に吸収性本体３の前後端部３ａ，３ｂを第１面ファスナー２６により着脱可能に係止しているから、着用者の腹背回りのごわごわ感が少なくなって着用感が快適になる。
【００８０】
さらに、帯部材２Ａ，２Ｂと外側シート４との間の差し込み部１ｂに吸収性本体３の前後端部３ａ，３ｂが差し込まれるから、吸収性本体３の前後端部３ａ，３ｂが捲れ上がらなくなって見映えが向上するとともに手触り感も良好になる。さらにまた、着用者の衣服に吸収性本体３の前後端部３ａ，３ｂが引っ掛かって吸収性本体が外れるおそれもなくなる。また、吸収性本体３は着脱可能であるから、汚れた場合に交換が簡単に行える。
【００８１】
また、立ち上がりフラップ１５が立ち上がると、吸収性本体３のトップシート９の表面と、立ち上がりフラップ１５の内面と、帯部材２Ａの内面とによって、ポケット部１９が形成されるから、このポケット部１９によって尿等の腹漏れや背漏れを確実に防止できる。さらに、第１面ファスナー２６と第２面ファスナー２７とによる吸収性本体３の前後端部３ａ，３ｂと立ち上がりフラップ１５との２重の係止によって吸収性本体３が外れにくくなる。
【００８２】
さらに、第１面ファスナー２６によって、吸収性本体３の着脱が簡単かつ迅速に行えるとともに、各面ファスナー２６，２７のループ部２６ｂ，２７ｂを設ける代わりに、不織布製シートをループ部２６ｂ，２７ｂとして利用すれば、ループ部２６ｂ，２７ｂを省略できて、製造工程を簡略化できるとともに、使い捨ておむつ１がコスト安になる。なお、各面ファスナー２６，２７に代えて、剥離可能な接着剤を使用しても良い。
【００８３】
つぎに、上記パンツ型おむつ１の製造方法を説明する。
【００８４】
工程▲１▼で、前側の外側シート４と後側の外側シート４とを長さ方向Ｚに連続搬送しながら、上面に第１面ファスナー２６のフック部２６ａを取付けるとともに、工程▲２▼で、おむつ前後方向Ｘに延在させた吸収性本体３の前後端部３ａ，３ｂの第１面ファスナー２６のループ部２６ｂを前側の外側シート４と後側の外側シート４のループ部２６ｂにそれぞれ着脱可能に係止した後に、工程▲３▼で、この吸収性本体３の前後端部３ａ，３ｂの差し込み部１ｂを除いた外側シート４に上面に、おむつ幅方向Ｗに伸縮性を有する前側の帯部材２Ａと後側の帯部材２Ｂとをそれぞれ接着して、工程▲４▼で、この前側の帯部材２Ａと後側の帯部材２Ｂとを重ね合わさせながら吸収性本体３を二つ折りし、工程▲５▼で、この吸収性本体３の両側に位置する前側の帯部材２Ａと後側の帯部材２Ｂとを接合してサイド部１ａを形成し、工程▲６▼で、このサイド部１ａの中間部を切断して、単体のパンツ型おむつ１を製造するができる。
【００８５】
この製造方法によれば、外側シート４と帯部材２Ａ，２Ｂとの間の差し込み部１ｂに吸収性本体３の前後端部３ａ，３ｂを差し込だ状態で第１面ファスナー２６により係止するから、製造途中において、吸収性本体３の前後端部３ａ，３ｂがコンベア等に引っ掛かかって捲れ上がったり、外れるおそれがなくなる。
【図面の簡単な説明】
【図１】パンツ型おむつであり、（ａ）は斜視図、（ｂ）は（ａ）のＡ−Ａ線拡大断面図である。
【図２】（ａ）は帯部材の要部斜視図、（ｂ）は吸収性本体の斜視図、（ｃ）は帯部材の変形例の斜視図である。
【図３】パンツ型おむつの展開状態の平面図である。
【図４】（ａ）は図２のＢ−Ｂ線拡大断面図、（ｂ）は吸収性本体の図２（ｃ）のＣ−Ｃ線拡大断面図である。
【図５】（ａ）は図３のＤ−Ｄ線に相当する拡大断面図、（ｂ）は第１変形例の吸収性本体の図３のＥ−Ｅ線に相当する拡大断面図、（ｃ）は第２変形例の吸収性本体の図３のＥ−Ｅ線に相当する拡大断面図である。
【図６】パンツ型おむつの製造工程図である。
【符号の説明】
１      パンツ型おむつ
１ａ    サイド部
１ｂ    差し込み部
２Ａ    前側の帯部材
２Ｂ    後側の帯部材
３      吸収性本体
３ａ，３ｂ  前後端部
４      外側シート
５      内装シート
６      外装シート
７      ウエスト用弾性部材
８      ボディフィット用弾性部材
９      トップシート
１０    バックシート
１１    吸収性コア
１３    不織布シート
１５    立ち上がりフラップ
１６    脚回り用弾性部材
１９    ポケット部
２６    第１面ファスナー
２６ａ  フック部
２６ｂ  ループ部
２７    第２面ファスナー
２７ａ  フック部
２７ｂ  ループ部
Ｗ      幅方向
Ｘ      前後方向
【図１】
2004329386.tif 000003
【図２】
2004329386.tif 000004
【図３】
2004329386.tif 000005
【図４】
2004329386.tif 000006
【図５】
2004329386.tif 000007
【図６】
2004329386.tif 000008